(57)【特許請求の範囲】
【請求項１】
場内装置とデータ生成装置とを備え、駐車場の利用に関する分析のためのデータを生成するデータ生成システムであって、
前記場内装置は、
前記駐車場の入口に設置され、入庫車両映像を取得するカメラと、
前記駐車場の出口に設置され、出庫車両映像を取得するカメラと、
前記入庫車両映像および前記出庫車両映像から車番を認識し、認識できた場合は車番を、認識できなかった場合はエラーを示すエラー情報を出力する車番認識部と、
前記入庫車両映像ごとに、前記車番認識部が出力した車番またはエラー情報と当該入庫車両映像が取得された日時の情報とを対応させた入庫車番情報を取得し、前記出庫車両映像ごとに、前記車番認識部が出力した車番またはエラー情報と当該出庫車両映像が取得された日時の情報とを対応させた出庫車番情報を取得する車番情報生成部と、
前記入庫車番情報と前記出庫車番情報とを記録する車番情報記録部と、
を備え、
前記データ生成装置は、
あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成する比較部と、
前記問い合わせリストの車番の情報を、あらかじめ定めたフォーマットに変換する変換部と、
前記問い合わせリストの車番ごとの車検登録情報を取得し、当該車番に対応する入庫車番情報と出庫車番情報に当該車検登録情報を対応させる車検登録情報取得部と、
前記入庫車番情報と前記出庫車番情報と前記車検登録情報とを記録する記録部と、
あらかじめ定めた入庫日時条件を満たす入庫車番情報について、当該入庫車番情報の総数に対する車検登録情報が対応している入庫車番情報の数の比率である入庫時認識率を求める入庫計数部と、
を備える
データ生成システム。
【請求項２】
場内装置とデータ生成装置とを備え、駐車場の利用に関する分析のためのデータを生成するデータ生成システムであって、
前記場内装置は、
前記駐車場の入口に設置され、入庫車両映像を取得するカメラと、
前記駐車場の出口に設置され、出庫車両映像を取得するカメラと、
前記入庫車両映像および前記出庫車両映像から車番を認識し、認識できた場合は車番を、認識できなかった場合はエラーを示すエラー情報を出力する車番認識部と、
前記入庫車両映像ごとに、前記車番認識部が出力した車番またはエラー情報と当該入庫車両映像が取得された日時の情報とを対応させた入庫車番情報を取得し、前記出庫車両映像ごとに、前記車番認識部が出力した車番またはエラー情報と当該出庫車両映像が取得された日時の情報とを対応させた出庫車番情報を取得する車番情報生成部と、
前記入庫車番情報と前記出庫車番情報とを記録する車番情報記録部と、
を備え、
前記データ生成装置は、
あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成する比較部と、
前記問い合わせリストの車番の情報を、あらかじめ定めたフォーマットに変換する変換部と、
前記問い合わせリストの車番ごとの車検登録情報を取得し、当該車番に対応する入庫車番情報と出庫車番情報に当該車検登録情報を対応させる車検登録情報取得部と、
前記入庫車番情報と前記出庫車番情報と前記車検登録情報とを記録する記録部と、
あらかじめ定めた出庫日時条件を満たす出庫車番情報について、当該出庫車番情報の総数に対する車検登録情報が対応している出庫車番情報の数の比率である出庫時認識率を求める出庫計数部と、
を備える
データ生成システム。
【請求項３】
請求項１記載のデータ生成システムであって、
前記データ生成装置は、さらに、
あらかじめ定めた出庫日時条件を満たす出庫車番情報について、当該出庫車番情報の総数に対する車検登録情報が対応している出庫車番情報の数の比率である出庫時認識率を求める出庫計数部
も備えることを特徴とするデータ生成システム。
【請求項４】
駐車場の利用に関する分析のためのデータを生成するデータ生成装置であって、
入庫車番情報を、車番またはエラーを示すエラー情報と、入庫した日時の情報とが対応付けされた情報、
出庫車番情報を、車番またはエラーを示すエラー情報と、出庫した日時の情報とが対応付けされた情報とし、
あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成する比較部と、
前記問い合わせリストの車番の情報を、あらかじめ定めたフォーマットに変換する変換部と、
前記問い合わせリストの車番ごとの車検登録情報を取得し、当該車番に対応する入庫車番情報と出庫車番情報に当該車検登録情報を対応させる車検登録情報取得部と、
前記入庫車番情報と前記出庫車番情報と前記車検登録情報とを記録する記録部と、
あらかじめ定めた入庫日時条件を満たす入庫車番情報について、当該入庫車番情報の総数に対する車検登録情報が対応している入庫車番情報の数の比率である入庫時認識率を求める入庫計数部と、
を備えるデータ生成装置。
【請求項５】
駐車場の利用に関する分析のためのデータを生成するデータ生成装置であって、
入庫車番情報を、車番またはエラーを示すエラー情報と、入庫した日時の情報とが対応付けされた情報、
出庫車番情報を、車番またはエラーを示すエラー情報と、出庫した日時の情報とが対応付けされた情報とし、
あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成する比較部と、
前記問い合わせリストの車番の情報を、あらかじめ定めたフォーマットに変換する変換部と、
前記問い合わせリストの車番ごとの車検登録情報を取得し、当該車番に対応する入庫車番情報と出庫車番情報に当該車検登録情報を対応させる車検登録情報取得部と、
前記入庫車番情報と前記出庫車番情報と前記車検登録情報とを記録する記録部と、
あらかじめ定めた出庫日時条件を満たす出庫車番情報について、当該出庫車番情報の総数に対する車検登録情報が対応している出庫車番情報の数の比率である出庫時認識率を求める出庫計数部と、
を備えるデータ生成装置。
【請求項６】
場内装置とデータ生成装置とを備え、駐車場の利用に関する分析のためのデータを生成するためのデータ生成方法であって、
前記場内装置が、前記駐車場の入口に設置されたカメラで取得した入庫車両映像と、前記駐車場の出口に設置されたカメラで取得した出庫車両映像から車番を認識し、認識できた場合は車番を、認識できなかった場合はエラーを示すエラー情報を出力する車番認識ステップと、
前記場内装置が、前記入庫車両映像ごとに、前記車番認識ステップが出力した車番またはエラー情報と当該入庫車両映像が取得された日時の情報とを対応させた入庫車番情報を取得し、前記出庫車両映像ごとに、前記車番認識ステップが出力した車番またはエラー情報と当該出庫車両映像が取得された日時の情報とを対応させた出庫車番情報を取得する車番情報生成ステップと、
前記データ生成装置が、あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成する比較ステップと、
前記データ生成装置が、前記問い合わせリストの車番の情報を、あらかじめ定めたフォーマットに変換する変換ステップと、
前記データ生成装置が、前記問い合わせリストの車番ごとの車検登録情報を取得し、当該車番に対応する入庫車番情報と出庫車番情報に当該車検登録情報を対応させる車検登録情報取得ステップと、
あらかじめ定めた入庫日時条件を満たす入庫車番情報について、当該入庫車番情報の総数に対する車検登録情報が対応している入庫車番情報の数の比率である入庫時認識率を求める入庫計数ステップと、
を有するデータ生成方法。
【請求項７】
場内装置とデータ生成装置とを備え、駐車場の利用に関する分析のためのデータを生成するためのデータ生成方法であって、
前記場内装置が、前記駐車場の入口に設置されたカメラで取得した入庫車両映像と、前記駐車場の出口に設置されたカメラで取得した出庫車両映像から車番を認識し、認識できた場合は車番を、認識できなかった場合はエラーを示すエラー情報を出力する車番認識ステップと、
前記場内装置が、前記入庫車両映像ごとに、前記車番認識ステップが出力した車番またはエラー情報と当該入庫車両映像が取得された日時の情報とを対応させた入庫車番情報を取得し、前記出庫車両映像ごとに、前記車番認識ステップが出力した車番またはエラー情報と当該出庫車両映像が取得された日時の情報とを対応させた出庫車番情報を取得する車番情報生成ステップと、
前記データ生成装置が、あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成する比較ステップと、
前記データ生成装置が、前記問い合わせリストの車番の情報を、あらかじめ定めたフォーマットに変換する変換ステップと、
前記データ生成装置が、前記問い合わせリストの車番ごとの車検登録情報を取得し、当該車番に対応する入庫車番情報と出庫車番情報に当該車検登録情報を対応させる車検登録情報取得ステップと、
あらかじめ定めた出庫日時条件を満たす出庫車番情報について、当該出庫車番情報の総数に対する車検登録情報が対応している出庫車番情報の数の比率である出庫時認識率を求める出庫計数ステップと、
を有するデータ生成方法。
【請求項８】
請求項４または５記載のデータ生成装置としてコンピュータを動作させるためのデータ生成プログラム。
【発明の詳細な説明】
【技術分野】
【０００１】
本発明は、駐車場の利用に関する分析のためのデータを生成するデータ生成システム、データ生成装置、データ生成方法、データ生成プログラムに関する。
【背景技術】
【０００２】
駐車場などにカメラを設置し、撮影した車両の映像から車番を認識する技術は、従来技術として知られている（特許文献１参照）。
【先行技術文献】
【特許文献】
【０００３】
【特許文献１】特開２００７−１８８１９７号公報
【発明の概要】
【発明が解決しようとする課題】
【０００４】
しかしながら、従来技術は、車番を、車両を特定する識別子として利用しているだけであり、車番に基づいた駐車場の利用に関する分析まではできていない。車番に基づいた分析としては、車番に記載されている陸運支局名を利用する方法はあり得る。しかし、例えば「湘南」の場合は、平塚市、藤沢市、小田原市、茅ケ崎市、秦野氏、伊勢崎市、南足柄市、高座郡、中郡、足柄上郡、足柄下郡で登録されている車両に付加されている。したがって、例えば商業施設などの駐車場の利用者がどの地域から来ているのかを分析するためには、陸運支局名では粗すぎる。
【０００５】
最近、車番の情報を送信すると自動車検査登録情報の一部（個人が特定できない程度の情報）を返信する有料のサービス（参考文献１：自動車検査登録情報提供サービス：［平成２５年１１月２７日検索］、インターネット<URL:https://www.e-airis.jp/teikyou/TeikyouServlet?__next=FA0101&__route=FA01>）も提供されており、車番からその車両が登録されている町名や車種の情報が得られる。本明細書では、車両が登録されている町名や車種の情報を「車検登録情報」と呼び、車番を入力すると車検登録情報を出力する装置を「登録データ管理装置」と呼ぶ。ただし、「車検登録情報」と「登録データ管理装置」は、参考文献１のサービスで提供される情報、提供するための装置に限定するものではない。
【０００６】
しかし、駐車場に設置するカメラは予算などの関係から高速道路などに設置するカメラよりも安価なカメラにせざるを得ないので、車番を正確に認識できる確率が低い。また、自動車検査登録情報提供サービスは問い合わせた車番の数に応じた費用がかかるため、正確に認識できていない車番まで問い合わせたのでは無駄な費用が必要になる。
【０００７】
そこで、本発明は、駐車場に設置されたカメラを用いて取得した車番が必ずしも正確に認識できていないことを前提に、効率よく駐車場の利用に関する分析に使えるデータを生成することを目的とする。
【課題を解決するための手段】
【０００８】
本発明のデータ生成システムは、場内装置とデータ生成装置とを備え、駐車場の利用に関する分析のためのデータを生成する。場内装置は、２つのカメラ、車番認識部、車番情報生成部、車番情報記録部を備える。１つ目のカメラは、駐車場の入口に設置され、入庫車両映像を取得する。２つ目のカメラは、駐車場の出口に設置され、出庫車両映像を取得する。車番認識部は、入庫車両映像および出庫車両映像から車番を認識し、認識できた場合は車番を、認識できなかった場合はエラーを示すエラー情報を出力する。車番情報生成部は、入庫車両映像ごとに、車番認識部が出力した車番またはエラー情報と当該入庫車両映像が取得された日時の情報とを対応させた入庫車番情報を取得する。また、車番情報生成部は、出庫車両映像ごとに、車番認識部が出力した車番またはエラー情報と当該出庫車両映像が取得された日時の情報とを対応させた出庫車番情報を取得する。車番情報記録部は、入庫車番情報と出庫車番情報とを記録する。
【０００９】
データ生成装置は、比較部、変換部、車検登録情報取得部、記録部を備える。比較部は、あらかじめ定めた比較条件を満たす複数の入庫車番情報と複数の出庫車番情報とを入力とする。そして、比較部は、車番が同一であり、かつ日時の矛盾が生じない入庫車番情報と出庫車番情報とがある場合には、当該入庫車番情報と当該出庫車番情報とを対応させ、その車番を含む問い合わせリストを生成する。変換部は、問い合わせリストの車番の情報を、あらかじめ定めたフォーマットに変換する。車検登録情報取得部は、問い合わせリストの車番ごとの車検登録情報を取得し、当該車番に対応する入庫車番情報と出庫車番情報に当該車検登録情報を対応させる。記録部は、入庫車番情報と出庫車番情報と車検登録情報とを記録する。
【発明の効果】
【００１０】
駐車場の利用に関する分析を行う場合、時間帯ごとの入出庫した車両の数のように総数が重要な分析と、地域ごとの来場者の割合や車種ごとの比率のように総数ではなく割合が重要な分析がある。そして、総数の分析では車番の情報は重要ではなく、割合の分析のときには車番から得られる車検登録情報が重要である。
【００１１】
本発明のデータ生成システムによれば、車両の総数に関する情報として入庫車番情報と出庫車番情報が取得できる。そして、入庫車番情報と出庫車番情報に正確に認識できていない車番が含まれていても、２つを比較しながら正確に認識できている可能性が高い車番のみを抽出して車検登録情報を取得する。よって、正確に車番が認識できた可能性が高い車番に対しての車検登録情報を得ることができる。したがって、駐車場の利用に関する分析に有用な、総数に関する情報と割合に関する情報とを生成できる。
【図面の簡単な説明】
【００１２】
【図１】本発明のデータ生成システムの概要を示す図。
【図２】本発明のデータ生成システムの機能構成例を示す図。
【図３】本発明のデータ生成システムの処理フロー例を示す図。
【図４】入庫車番情報の例を示す図。
【図５】出庫車番情報の例を示す図。
【図６】出庫車番情報と対応付けられた入庫車番情報の例を示す図。
【図７】入庫車番情報と対応付けられた出庫車番情報の例を示す図。
【図８】問い合わせリストの例を示す図。
【図９】車検登録情報の例を示す図。
【図１０】車検登録情報を付加した入庫車番情報の例を示す図。
【図１１】車検登録情報を付加した出庫車番情報の例を示す図。
【発明を実施するための形態】
【００１３】
以下、本発明の実施の形態について、詳細に説明する。なお、同じ機能を有する構成部には同じ番号を付し、重複説明を省略する。
【実施例１】
【００１４】
図１に本発明のデータ生成システムの概要を、図２に本発明のデータ生成システムの機能構成例を、図３に本発明のデータ生成システムの処理フロー例を示す。本発明のデータ生成システム１０は、ネットワーク５００で接続された場内装置２００とデータ生成装置１００とを備え、駐車場９００の利用に関する分析のためのデータを生成する。なお、駐車場は、複数あっても構わない。また、ネットワーク５００には、操作端末３００、登録データ管理装置８００も接続すればよい。操作端末３００は、場内装置２００やデータ生成装置１００の操作、データ生成装置１００が生成したデータを用いた駐車場９００の利用に関する分析などを行う。なお、操作端末３００は、複数台あってもよく、操作端末３００ごとに行える処理が異なってもよい。登録データ管理装置８００は、例えば、参考文献１の自動車検査登録情報提供サービスのための装置であり、あらかじめ定めたフォーマットで車番の情報が入力されると、車番に対応する車両が登録されている町名や車種の情報である車検登録情報を出力する。また、登録データ管理装置８００は、車番から問い合わせ先を区別できる限りであれば、複数台存在してもよい。例えば、普通自動車の車検登録情報を出力する登録データ管理装置と、軽自動車の車検登録情報を出力する登録データ管理装置の２台が存在してもよい。
【００１５】
場内装置２００は、２つのカメラ２１０，２２０と管理端末２３０で構成される。管理端末２３０は、少なくとも車番認識部２４０、車番情報生成部２５０、車番情報記録部２９０を備える。管理端末２３０は、パソコンなどのコンピュータにソフトウェアをインストールして実現すればよい。カメラ２１０は、駐車場９００の入口９１０に設置され、入庫車両映像を取得する。カメラ２２０は、駐車場９００の出口９２０に設置され、出庫車両映像を取得する。車番認識部２４０は、入庫車両映像および出庫車両映像から車番を認識し、認識できた場合は車番を、認識できなかった場合はエラーを示すエラー情報を出力する（Ｓ２４０）。
【００１６】
車番情報生成部２５０は、入庫車両映像ごとに、車番認識部２４０が出力した車番またはエラー情報と当該入庫車両映像が取得された日時の情報とを対応させた入庫車番情報を取得する。また、車番情報生成部２５０は、出庫車両映像ごとに、車番認識部２４０が出力した車番またはエラー情報と当該出庫車両映像が取得された日時の情報とを対応させた出庫車番情報を取得する（Ｓ２５０）。車番情報記録部２９０は、入庫車番情報と出庫車番情報とを記録する。図４は入庫車番情報の例、図５は出庫車番情報の例である。車番情報記録部２９０に記録されている段階では、入庫車番情報と出庫車番情報とは対応付けられていない。この例では、２０１３年１月４日に入庫した車両、出庫した車両が示されているが、他の年月日のデータも入庫車番情報、出庫車番情報には含まれている。Ｎは２０１３年１月４日に入庫した車両の総数であり、その日の入庫車番情報の総数である。Ｍは２０１３年１月４日に出庫した車両の総数であり、その日の出庫車番情報の総数である。夜間に駐車する車両もあり得るので、必ずしもＮ＝Ｍではない。
【００１７】
データ生成装置１００は、比較部１１０、変換部１２０、車検登録情報取得部１３０、記録部１９０を備える。比較部１１０は、あらかじめ定めた比較条件を満たす複数の入庫車番情報と複数の出庫車番情報とを入力とする。「あらかじめ定めた比較条件」とは、入庫した車両が出庫する確率が高い条件を定めればよい。例えば、夜間に駐車する車両がほとんどない商業施設などの場合は、入庫と出庫とが同じ日の範囲を比較条件とすればよい。また、夜間に駐車する車両がほとんどである宿泊施設の場合は、入庫と出庫の日をずらして比較条件とすればよい。そして、比較部１１０は、車番が同一であり、かつ日時の矛盾が生じない入庫車番情報と出庫車番情報とがある場合には、当該入庫車番情報と当該出庫車番情報とを対応させ、その車番を含む問い合わせリストを生成する（Ｓ１１０）。「日時の矛盾が生じない」とは、出庫時刻が入庫時刻よりも前になっている場合など、あり得ない日時を除く意味であり、「あらかじめ定めた比較条件」を考慮しながら適宜定めればよい。図６と図７は、互いに対応付けられた入庫車番情報と出庫車番情報の例を示している。また、図８は問い合わせリストの例である。これらの例は、２０１３年１月４日に入庫した車両と２０１３年１月４日に出庫した車両を比較条件として定めて、図４の入庫車番情報と図５の出庫車番情報とを比較した結果である。Ｋは、車番が同一であり、かつ日時の矛盾が生じない（入庫時刻が出庫時刻よりも前の）入庫車番情報と出庫車番情報の数であり、Ｋ≦ＮかつＫ≦Ｍの整数である。入庫車番情報と出庫車番情報とを比較して問い合わせリストを作成するので、車番が正しい確率を大幅に上昇させることができる。
【００１８】
ただし、実際の設備では、カメラ２１０またはカメラ２２０が故障したために、入庫車番情報または出庫車番情報が得られないことも想定される。このような場合のために、入庫車番情報と出庫車番情報とを比較することなく、得られている一方の情報（入庫車番情報または出庫車番情報）だけから問い合わせリストを作成できるようにしておいてもよい。
【００１９】
変換部１２０は、問い合わせリストの車番の情報を、あらかじめ定めたフォーマットに変換する（Ｓ１２０）。「あらかじめ定めたフォーマット」とは、登録データ管理装置８００への入力の条件を満たすフォーマットである。登録データ管理装置８００が複数台ある場合は、問い合わせリストの車番の情報を問い合わせる登録データ管理装置ごとに分けた上で、登録データ管理装置ごとにあらかじめ定めたフォーマットに変換すればよい。例えば、普通自動車と軽自動車とで登録データ管理装置が異なる場合は、車番から普通自動車か軽自動車かを区別し、それぞれのフォーマットに変換すればよい。変換部１２０は、さらに、ネットワーク５００を介してあらかじめ定めたフォーマットの車番の情報を登録データ管理装置８００に送り、車検登録情報（車番に対応する車両が登録されている町名や車種の情報）を問い合わせてもよい。登録データ管理装置８００は、車番の情報を照合し、車検登録情報をデータ生成装置１００に送る（Ｓ８００）。なお、登録データ管理装置８００へのあらかじめ定めたフォーマットの車番の情報の送信は、変換部１２０が自動的に行ってもよいし、操作端末３００からの指示に従って行ってもよい。また、登録データ管理装置８００との情報の授受は、情報を記録した記録媒体を人手で受け渡すことによって行ってもよい。
【００２０】
車検登録情報取得部１３０は、問い合わせリストの車番ごとの車検登録情報を取得し、当該車番に対応する入庫車番情報と出庫車番情報に当該車検登録情報を対応させる（Ｓ１３０）。なお、車検登録情報は、登録データ管理装置８００からネットワーク５００を介して取得してもよいし、記録媒体を介して取得してもよい。記録部１９０は、入庫車番情報と出庫車番情報と車検登録情報とを記録する。図９は車検登録情報の例を示しており、図８の問い合わせリストの順番に車検登録情報が並んでいる。また、入庫番号と出庫番号も記載されているので、入庫車番情報と出庫車番情報に対応付けされていることが分かる。なお、図１０は入庫車番情報、図１１は出庫車番情報の例である。このように、入庫車番情報と出庫車番情報にも車検登録情報を付加してもよい。
【００２１】
駐車場の利用に関する分析を行う場合、時間帯ごとの入出庫した車両の数のように総数が重要な分析と、地域ごとの来場者の割合や車種ごとの比率のように総数ではなく割合が重要な分析がある。そして、総数の分析では車番の情報は重要ではなく、割合の分析のときには車番から得られる車検登録情報が重要である。例えば、操作端末３００は、町名単位で来場者の割合を分析し、地図に来場者の割合を色分け表示するなどの分析が考えられる。また、平日と週末で来場者の分布の変化を分析することも考えられる。このような分析を行えば、その駐車場の利用者が訪問している商業施設のチラシなどを効率的に配布できる。つまり、マーケティングに関するいろいろな分析ができる。
【００２２】
実施例１のデータ生成システムによれば、車両の総数に関する情報として入庫車番情報と出庫車番情報が取得できる。そして、入庫車番情報と出庫車番情報に正確に認識できていない車番が含まれていても、２つを比較しながら正確に認識できている可能性が高い車番のみを抽出して車検登録情報を取得する。よって、正確に車番が認識できた可能性が高い車番に対しての車検登録情報を得ることができる。したがって、駐車場の利用に関する分析に必要な、総数に関する情報と割合に関する情報とを生成できる。
【００２３】
［変形例１］
データ生成装置１００は、さらに、入庫計数部１４０、出庫計数部１５０を備えてもよい。入庫計数部１４０は、あらかじめ定めた入庫日時条件を満たす入庫車番情報について、入庫車番情報の総数と車検登録情報が対応している入庫車番情報の数を求め、入庫車番情報の総数に対する車検登録情報が対応している入庫車番情報の数の比率である入庫時認識率を求める（Ｓ１４０）。出庫計数部１５０は、あらかじめ定めた出庫日時条件を満たす出庫車番情報について、出庫車番情報の総数と車検登録情報が対応している出庫車番情報の数、出庫車番情報の総数に対する車検登録情報が対応している出庫車番情報の数の比率である出庫時認識率を求める（Ｓ１５０）。「あらかじめ定めた入庫日時条件」、「あらかじめ定めた出庫日時条件」とは、例えば「３月の日曜日」のように、分析したい日時の条件の意味である。図６、７、８の例では、入庫車番情報の総数はＮ、車検登録情報が対応している入庫車番情報の数はＫ、入庫時認識率はＫ／Ｎ、出庫車番情報の総数はＭ、車検登録情報が対応している出庫車番情報の数はＫ、出庫時認識率はＫ／Ｍである。
【００２４】
このように、入庫時認識率または出庫時認識率を求めておけば、車検登録情報に含まれるＡ町の車両の台数から、Ａ町から来場した車両の総数を予測しやすい。例えば、車検登録情報に含まれるＡ町の車両の台数がＫＡ、入庫時認識率がＲＩの場合、Ａ町から来場した車両の総数をＫＡ／ＲＩと予測すればよい。また、入庫時認識率ＲＩと出庫時認識率ＲＯとの平均をＲＩの代わりに用いてもよい。このように、実施例１のデータ生成システムよりも、さらに効率よく駐車場の利用に関する分析を行うことができる。
【００２５】
［プログラム、記録媒体］
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００２６】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００２７】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００２８】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００２９】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００３０】
また、この形態では、コンピュータ上で所定のプログラムを実行させることにより、本装置を構成することとしたが、これらの処理内容の少なくとも一部をハードウェア的に実現することとしてもよい。
【符号の説明】
【００３１】
１０  データ生成システム            １００  データ生成装置
１１０  比較部                      １２０  変換部
１３０  車検登録情報取得部          １４０  入庫計数部
１５０  出庫計数部                  １９０  記録部
２００  場内装置                    ２１０，２２０  カメラ
２３０  管理端末                    ２４０  車番認識部
２５０  車番情報生成部              ２９０  車番情報記録部
３００  操作端末                    ５００  ネットワーク
８００  登録データ管理装置          ９００  駐車場
９１０  入口                        ９２０  出口
【図１】
0005980769.tif 000002
【図２】
0005980769.tif 000003
【図３】
0005980769.tif 000004
【図４】
0005980769.tif 000005
【図５】
0005980769.tif 000006
【図６】
0005980769.tif 000007
【図７】
0005980769.tif 000008
【図８】
0005980769.tif 000009
【図９】
0005980769.tif 000010
【図１０】
0005980769.tif 000011
【図１１】
0005980769.tif 000012